(57)【要約】【課題】並列した分割天板を折畳み可能に連結して折畳みテーブルの天板として採用されるテーブル天板において、連結部品の簡素化を実現する。【解決手段】  長尺板体で形成された分割天板１１を並列して形成するテーブル天板において、分割天板１１における両端面部分の天板部の下面に、隣接分割天板との連結のための天板連結部（側縁部１１２及び軸装着部１１３）を当該分割天板と一体に形成し、両端に前記天板連結部と対応する枢結部（遊孔）１２１を設けた連結片１２を、前記天板連結部に装着して隣接分割天板を回動可能に連結してなる。【選択図】図８
2020103867.tif 000002
【特許請求の範囲】
【請求項１】
長尺板体で形成された分割天板を並列して形成するテーブル天板において、分割天板における両端面部分の天板部の下面に、隣接分割天板との連結のための天板連結部を当該分割天板と一体に形成し、両端に前記天板連結部と対応する枢結部を設けた連結片を、前記天板連結部に装着して隣接分割天板を回動可能に連結してなることを特徴とするテーブル天板。
【請求項２】
天板連結部を所定のネジ体を圧挿することで連結される軸装着部に形成し、連結片の枢結部を連結片に設けた遊透孔と前記所定のネジ体で形成してなる請求項１記載のテーブル天板。
【請求項３】
分割天板を、軸装着部を備えた押し出し材で形成してなる請求項２記載のテーブル天板。
【請求項４】
天板部裏面における軸装着部形成部分の内方に、天板部裏面と適宜な間隙を有する脚装着用突部を形成してなる請求項３記載のテーブル天板。
【請求項５】
天板部裏面における軸装着部形成部分の内方側に、天板部裏面と適宜な間隙を有する脚装着用の切欠部を形成してなる請求項３記載のテーブル天板。
【請求項６】
分割天板の両端の天板連結部間を外方に突出させると共に、前記突出部分を裏面に折曲して端面部に形成してなる請求項２乃至５記載の何れかのテーブル天板。
【発明の詳細な説明】
【技術分野】
【０００１】
本発明は、主として折畳みテーブルに採用されているテーブル天板に関するものである。
【背景技術】
【０００２】
折畳みテーブルなどに採用されているテーブル天板は、複数の細長の分割天板を適宜分割天板の短手方向で連結し、平坦に並列して天板として使用し、連結個所で折り曲げて折畳み可能としているものである。
【０００３】
例えば特許文献１には、角筒状の分割天板の端部に連結軸を突設した連結部材を装着し、両端に軸装着部を設けた可動連結体を、隣接する分割天板の連結軸に装着して折畳み自在とした天板が開示されている。
【０００４】
また特許文献２には、角筒状の分割天板の端部に軸装着部を穿設した連結部材を装着し、両端に連結軸を設けた可動連結体を、隣接する分割天板の軸装着部に装着して折畳み自在とした天板が開示されている。
【０００５】
更に特許文献３には、角筒状の分割天板の端部にゴム紐挿通孔を設けた連結部材を装着し、前記連通孔にゴム紐を挿通して隣接する分割天板を連結して折畳み自在とした天板が開示されている。
【先行技術文献】
【特許文献】
【０００６】
【特許文献１】特開２００１−１３７０５１号公報。
【特許文献２】特開２００２−２１９０２２号公報。
【特許文献３】登録実用新案３０６８０１９号公報。
【発明の概要】
【発明が解決しようとする課題】
【０００７】
角筒体の分割天板の折畳み可能とする連結構造は、上記のとおり従前において連結部材と可動連結体の組み合わせを採用し、若しくはゴム紐連結を採用している。後者のゴム紐連結はゴムの劣化による切断や、キャンプ等の屋外使用に際しては、火の近傍での使用ができないという制限がある。
【０００８】
また前者においては、特定構造の連結部材を採用する必要がありコスト高を招き、且つ連結部材の装着作業も必要であり、製造が煩瑣である。
【０００９】
そこで本発明は、部品（連結部材）を削減した新規なテーブル天板を提案したものである。
【課題を解決するための手段】
【００１０】
本発明の請求項１記載に係るテーブル天板は、長尺板体で形成された分割天板を並列して形成するテーブル天板において、分割天板における両端面部分の天板部の下面に、隣接分割天板との連結のための天板連結部を当該分割天板と一体に形成し、両端に前記天板連結部と対応する枢結部を設けた連結片を、前記天板連結部に装着して隣接分割天板を回動可能に連結してなることを特徴とするものである。
【００１１】
而して分割天板に天板連結部（連結軸または軸装着部）を部材の押し出し成型やプレス加工等の手段で分割天板に一体に形成することで、従前のように角筒体に装着する連結部材を備えることなく、直接天板連結部に枢結部（軸装着部又は連結軸）を装着することで折畳み可能なテーブル天板を製出できる。
【００１２】
また本発明の請求項２記載に係るテーブル天板は、天板連結部を所定のネジ体を圧挿することで連結される軸装着部に形成し、連結片の枢結部を連結片に設けた遊透孔と前記所定のネジ体で形成してなるもので、所定形状の軸装着部は押し出し成型の他プレス加工（分割天板の両端を鍔状に形成して絞り加工を施す）でも容易に形成できる。
【００１３】
また本発明の請求項３記載に係るテーブル天板は、特に分割天板を、軸装着部を備えた押し出し材で形成してなるもので、分割天板形成時に天板連結部を同時に形成できる。
【００１４】
また本発明の請求項４記載に係るテーブル天板は、更に押し出し成型に際して、天板部裏面における軸装着部形成部分の内方に、天板部裏面と適宜な間隙を有する脚装着用突部を形成してなるものであり、本発明の請求項５記載に係るテーブル天板は、押し出し成型に際して、天板部裏面における軸装着部形成部分の内方側に、天板部裏面と適宜な間隙を有する脚装着用の切欠部を形成してなり、テーブル天板を使用してのテーブル形成に際して、突部と天板部裏面との間隙又は切欠部に脚取付部材を固定することで、脚の組み込みを容易に行うことができる。
【００１５】
また本発明の請求項６記載に係るテーブル天板は、更に分割天板の両端の天板連結部間を外方に突出させると共に、前記突出部分を裏面に折曲して端面部を形成してなるもので、分割天板の強度強化と天板側方視の外観印象を良好とするものである。
【発明の効果】
【００１６】
本発明の構成は上記のとおりで、分割天板を連結して折畳み可能なテーブル天板の製出に際して、分割天板に天板連結部を一体に形成することで、使用部品の削減によって製造の簡素化を実現したものである。
【図面の簡単な説明】
【００１７】
【図１】本発明の実施形態の全体斜視図。
【図２】同折畳み状態を示す全体斜視図。
【図３】同天板（第一実施例）の製出過程を示す説明図。
【図４】同脚取付部材（第一実施例）の全体斜視図。
【図５】同脚の構成部材（脚板及び停止板）の説明図。
【図６】同組み込み説明図。
【図７】同動作説明図。
【図８】同分割天板の連結説明図。
【図９】同テーブルの使用時の説明図で（イ）は一部正面図  （ロ）は裏面斜視図。
【図１０】同折畳み経過の説明図。
【図１１】同図（斜視図）。
【図１２】同折畳み後の断面図。
【図１３】同天板（第二実施例）の製出過程を示す説明図。
【図１４】同脚取付部材（第二実施例）の全体斜視図。
【図１５】同組み込み説明図（第二実施例）。
【発明を実施するための形態】
【００１８】
次に本発明の実施形態（本発明のテーブル天板を使用した折畳みテーブル）について説明する。
【００１９】
図１乃至図１２は第一実施例の分割天板１１を使用した折畳みテーブルの実施形態に示したもので、折畳みテーブルは、天板１と折畳み脚２で構成され、天板１は、各複数の分割天板１１と、連結片１２と、ネジ体１３で形成される。
【００２０】
分割天板１１は、長尺の天板部１１１の両側の側縁部１１２に、軸装着部（天板連結部）１１３及び天板部１１１の裏面と適宜な間隔（装着間隙１１６）で対向側縁側に突設した脚装着用突部１１４を備えた押し出し材で形成したもので（図３イ）、先端の側縁部１１２を削除して天板部１１１の先端を突出させ（図３ロ）、前記の突出部分を裏面側に起立折曲して端面部１１５を形成する。前記の側縁部１１２は後述する対面空間Ａが確保される適宜な高さに形成したものである。
【００２１】
また軸装着部１１３は、ネジ体１３を圧挿（圧螺合）することでネジ体１３を固定できる形状に形成したものである。
【００２２】
前記の分割天板１１は、前後に並列すると共に隣接分割天板１１ａを連結片１２とネジ体１３を用いて連結するもので、当該分割天板１１と隣接する分割天板１１ａの軸装着部（天板連結部）１１３と対応する遊孔（枢結部）１２１を設けた連結片１２を分割天板間に差し渡し、遊孔１２１にネジ体１３を挿通してネジ体１３を軸装着部１１３に固着してなるもので、並列した分割天板１１は折畳み可能に連結して天板１を形成するものである。
【００２３】
従って天板１は、隣接する分割天板１１が折り畳み可能に連結されているもので、平板状態としてテーブル天板として使用され、後述する折畳み脚２の折畳み操作に合わせ折畳まれるものである。
【００２４】
折畳み脚２は、脚板２１と、天板支持板２２と脚取付板（脚取付部材）２３で構成され、本実施形態では前後端に位置する分割天板１１に設けてなる。
【００２５】
脚取付板２３は、立上連結面２３１を備え前後端の分割天板１１の左右における天板部１１１の裏面と脚装着用突部１１４の間に形成される装着間隙１１６に差し入れ（端面部１１５起立前に予め差し入れておく）、カシメ加工等の手段で固着する。
【００２６】
脚板２１は脚面部２１１と脚面部の両側が折曲した側面部２１２とを備え、側面部２１２の基端を立上連結面２３１に添わせて枢結し、天板部１１１の裏面に対し起立倒伏自在に設けたものである。
【００２７】
天板支持板２２は、前後の脚板２１の左右外面側（脚板２１を倒伏した際の外面側）の基部間を連結するので、一端は一方の脚板に枢結（枢結軸２２１）して回動自在に連結し、他端には係止突部２２２を設けてなる。
【００２８】
また前記の天板支持板２２の連結・折畳みにおいて、着脱連結対象の脚板２１の脚面部２１１の基部端縁に、天板支持板２２の回動操作で係止突部２２２を係止する係止凹部２１３を設けると共に、折畳み収納時に天板支持板を脚板上に積層する際に、前記係止突部２２２が前記脚板２１に衝突しないように、脚板２１の脚面部２１１の当該箇所に係止突部２２２の収納孔２１４を形成しておく。
【００２９】
更に折畳み脚２と分割天板１１の側縁部１１２の高さの関係は、脚板２１を倒伏させて天板支持板２２を脚板２１上に積層した状態（折畳み時の状態）で、脚板装着の分割天板１１を隣接分解天板１１ａで覆った際に、分割天板１１，１１ａで形成される対面空間Ａ内に納まる厚さに形成しておくものである。
【００３０】
而して前記の折畳みテーブルは、分割天板１１を拡げて天板とし、天板裏面において天板支持板２２で前後脚板２１の基部間を連結し、脚板２１を起立さると天板支持板２２が天板１の裏面と当接して折畳み脚２の起立状態が安定し、テーブルとして使用に供されるものである（図１，９）。
【００３１】
折畳み操作について説明すると、折畳み脚２の全体を倒伏し（図１０イ）、天板支持板２２の係止突部２２２を係止凹部２１３から外して倒伏して（図１０ロ）、左右の脚板２１上に回動し、係止突部２２２を収納孔２１４内に納める（図１０ハ）。
【００３２】
上記状態で折畳み脚２を装着した分割天板１１を内方に折畳むと、前記分割天板１１の裏面は隣接する分割天板１１の裏面とで対向空間Ａが形成され、当該対向空間Ａ内に折畳脚の構成部品（脚板２１と、天板支持板２２と脚取付板２３が納められることになる（図２、図１２）。
【００３３】
図１３乃至図１５は第二実施例の分割天板１１Ａを使用した折畳みテーブルの実施形態に示したもので、分割天板１１Ａを使用した折畳みテーブルも第一実施例の分割天板１１と同様の構造で折畳みテーブルを形成するもので、分割天板１１Ａに対応する脚取付板（脚取付部材）２３Ａを採用する。
【００３４】
分割天板１１Ａは、長尺の天板部１１１の両側の側縁部１１２に、ネジ体１３を圧挿（圧螺合）することでネジ体１３を固定できる形状の軸装着部１１３Ａ、及び前記軸装着部１１３Ａの内方側に天板部１１１の裏面と適宜な間隙を有する脚装着用の切欠部（装着間隙）１１６Ａを備えた押し出し材で形成したものである（図１３イ）。
【００３５】
更に前記押し出し材の先端の側縁部１１２を削除して天板部１１１の先端を突出させ、当該突出部分に脚取付板（脚取付部材）２３Ａの固定用透孔１１７を穿設し（図３ロ）、前記の突出部分を裏面側に起立折曲して端面部１１５Ａを形成する。勿論側縁部１１２は対面空間Ａが確保される適宜な高さに形成したものである。
【００３６】
前記の分割天板１１Ａは、第一実施例の分割天板１１と同様に隣接分割天板１１ａを連結片１２とネジ体を用いて連結して天板１を形成し、平板状態としてテーブル天板として使用され、折畳み脚２の折畳み操作に合わせ折畳まれるものである。
【００３７】
分割天板１１Ａに対応する脚取付板２３Ａは、第一実施例と同様に立上連結面２３１を備える他、分割天板１１Ａの裏面両側の切欠部１１６Ａに嵌入される幅員を有し、適宜長さの突出板部２３２を設けると共に、突出板部２３２の先端を起立面２３３に形成し、固定用透孔１１７と対応する位置に連結孔２３４を設けたものである。
【００３８】
前記の脚取付板２３Ａは、分割天板１１Ａの裏面両側の切欠部１１６Ａに差し入れ（端面部１１５Ａの起立前に差し入れておく）、固定用透孔１１７と連結孔２３４にリベット装着して連結固定する。
【００３９】
以下第一実施例の分割天板１１を使用した構造と同一構造で折畳み脚２を装着して折畳みテーブルとするものである。
【００４０】
尚図示した実施形態は４枚の分割天板１１を採用し、前後端の分割天板１１に折畳み脚２の構成部品を組み込んで形成したが、分割天板１１の枚数は任意であり（奇数の場合は折畳み時に前後端の一方の分割天板１１の裏面が露出状態で束ねられる。）、また折畳み脚２の組み込みは、前後端の分割天板１１の裏面に限定されない。
【００４１】
また本実施形態は分割天板１１に押し出し材を採用したが、押し出し材に限定されるものでは、分割天板１１の側縁部１１２による軸装着部１１３の形成を絞り加工で行っても良い。
【符号の説明】
【００４２】
１      天板
１１，１１Ａ，１１ａ    分割天板
１１１    天板部
１１２    側縁部
１１３，１１３Ａ    軸装着部（天板連結部）
１１４    脚装着用突部
１１５，１１５Ａ    端面部
１１６    装着間隙
１１６Ａ    切欠部
１１７    固定用透孔
１２    連結片
１２１    遊孔（枢結部）
１３    ネジ体
２      折畳み脚
２１    脚板
２１１    脚面部
２１２    側面部
２１３    係止凹部
２１４    収納孔
２２    天板支持板
２２１    枢結軸
２２２    係止突部
２３，２３Ａ    脚取付板（脚取付部材）
２３１    立上連結面
２３２    突出板部
２３３    起立面
２３４    連結孔
【図１】
2020103867.tif 000003
【図２】
2020103867.tif 000004
【図３】
2020103867.tif 000005
【図４】
2020103867.tif 000006
【図５】
2020103867.tif 000007
【図６】
2020103867.tif 000008
【図７】
2020103867.tif 000009
【図８】
2020103867.tif 000010
【図９】
2020103867.tif 000011
【図１０】
2020103867.tif 000012
【図１１】
2020103867.tif 000013
【図１２】
2020103867.tif 000014
【図１３】
2020103867.tif 000015
【図１４】
2020103867.tif 000016
【図１５】
2020103867.tif 000017